(57)【特許請求の範囲】
【請求項１】
給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、時間の計測手段を備え、他機能単独運転中に、バーナの燃焼停止時から次のバーナ燃焼開始までの時間が予め与えられる液無し判定時間よりも大となったときに前記循環流路内の液無し検知信号を出力する循環路液無し検出部が設けられている一缶二水路式給湯装置。
【請求項２】
給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、時間の計測手段を備え、他機能単独運転中に、バーナの燃焼開始時から次のバーナ燃焼停止までの時間が予め与えられる液無し判定時間よりも小となったときに前記循環流路内の液無し検知信号を出力する循環路液無し検出部が設けられている一缶二水路式給湯装置。
【請求項３】
給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、時間の計測手段を備え、他機能単独運転中に、バーナの燃焼開始時から次の燃焼停止を経てバーナが再び燃焼開始するまでの時間が予め与えられる液無し判定時間よりも大となったときに前記循環流路内の液無し検知信号を出力する循環路液無し検出部が設けられている一缶二水路式給湯装置。
【請求項４】
給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、時間の計測手段を備え、他機能単独運転中に、バーナの燃焼停止時から次の燃焼動作を経てバーナが再び燃焼停止するまでの時間が予め与えられる液無し判定時間よりも大となったときに前記循環流路内の液無し検知信号を出力する循環路液無し検出部が設けられている一缶二水路式給湯装置。
【請求項５】
給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、前記他機能単独運転中に検出される前記熱交湯温の上側ピーク温度が予め与えられる液無し判定温度を上側に越えたときに前記循環流路内の液無し検知信号を出力する循環路液無し検出部が設けられている一缶二水路式給湯装置。
【請求項６】
給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、前記他機能単独運転中に検出される前記熱交検出湯温の下側ピーク温度が予め与えられる液無し判定温度を上側に越えたときに前記循環流路内の液無し検知信号を出力する循環路液無し検出部が設けられている一缶二水路式給湯装置。
【請求項７】
給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、前記他機能単独運転中に検出される前記熱交検出湯温の上昇傾きが予め与えられる液無し判定上がり勾配よりも大となったときに前記循環流路内の液無し検知信号を出力する循環路液無し検出部が設けられている一缶二水路式給湯装置。
【請求項８】
給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、前記他機能単独運転中に検出される前記熱交検出湯温の下降傾きが予め与えられる液無し判定下がり勾配よりも小となったときに前記循環流路内の液無し検知信号を出力する循環路液無し検出部が設けられている一缶二水路式給湯装置。
【請求項９】
給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、時間の計測手段を備え、前記他機能単独運転中の少なくとも前記熱交検出湯温の上側ピーク温度と下側ピーク温度を経時データとして取り込み記憶する経時温度データ採取記憶部と、前記取り込み記憶された経時データを時間軸と温度軸のグラフ上に表したときの両隣の下側ピーク温度を結ぶ下側ピーク間結線の長さ（ａ＋ｂ）のデータと上側ピーク温度から前記下側ピーク間結線に下した垂線の長さｃのデータとこの垂線の交点の位置から前側の下側ピーク温度までの線長ａのデータと前記垂線の交点の位置から後方の下側ピーク温度までの線長ｂのデータのうちのいずれか２つのデータの比を求めこの求めた比の値を予め与えられている液無し判定比率値と比較し、予め与えられる比較判定ルールに従い液無しの判定結果となったときに前記循環流路内の液無し検知信号を出力する循環路液無し検出部が設けられている一缶二水路式給湯装置。
【請求項１０】
給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、時間の計測手段を備え、前記他機能単独運転中の少なくとも前記熱交検出湯温の上側ピーク温度と下側ピーク温度を経時データとして取り込み記憶する経時温度データ採取記憶部と、前記取り込み記憶された経時データを時間軸と温度軸のグラフ上に表したときの上側のピーク温度と下側のピーク温度との経時的に連続する４個のピーク温度位置と下側のピーク温度位置から両隣の上側のピーク温度を結ぶ線に下ろした垂線の交点位置と上側のピーク温度位置から両隣の下側のピーク温度を結ぶ線に下ろした垂線の交点位置の３点以上を結んで得られる図形の面積を求めこの求めた図形の面積を予め与えられる液無し判定面積と比較し予め与えられる比較判定ルールに従い液無しの判定結果となったときに前記循環流路内の液無し検知信号を出力する循環路液無し検出部が設けられている一缶二水路式給湯装置。
【請求項１１】
液無し検知信号を受けて循環路内の液無し状態を報知する液無し報知手段が設けられている請求項１乃至請求項１０のいずれか１つに記載の一缶二水路式給湯装置。
【請求項１２】
液無し検知信号を受けて他機能単独運転の停止を行う空焚き防止安全手段が設けられている請求項１乃至請求項１１のいずれか１つに記載の一缶二水路式給湯装置。
【請求項１３】
循環流路は浴槽に接続されて浴槽湯水を循環する追い焚き循環流路と成し、非給湯側熱交換器は循環浴槽湯水を追い焚きする追い焚き熱交換器と成した請求項１乃至請求項１２のいずれか１つに記載の一缶二水路式給湯装置。
【発明の詳細な説明】
【０００１】
【発明の属する技術分野】
本発明は、給湯機能と給湯以外の他機能を備えた一缶二水路式給湯装置に関するものである。
【０００２】
【従来の技術】
図１０には出願人が開発している一缶二水路式給湯装置のシステム構成が示されている。同図において、器具ケース１内には給湯機能の給湯熱交換器２と給湯以外の他機能の追い焚き機能を行う追い焚き熱交換器３とが一体化されて配設されている。すなわち、複数の共通のフィンプレート４に給湯側の水管を貫通装着して給湯熱交換器２と成し、同じくフィンプレート４に追い焚き側の水管を貫通装着して追い焚き熱交換器３と成している。
【０００３】
これら一体化された熱交換器の下方側には給湯熱交換器２と追い焚き熱交換器３を共通に加熱するバーナ５が配置されており、このバーナ５の燃焼の給排気を行う燃焼ファン６がバーナの下側に配置されている。バーナ５にはガス通路９が接続されており、このガス通路９には通路の開閉を行う電磁弁７，８とガスの供給量（バーナの燃焼熱量）を開弁量によって制御する比例弁１０が介設されている。なお、前記比例弁１０の開弁量制御は、具体的には、比例弁１０に印加される電流（開弁駆動電流）の可変制御によって行われている。
【０００４】
前記給湯熱交換器２の入側には給水管１１が接続されており、この給水管１１には給湯熱交換器２の入水温度（給水温度）を検出する給水温度検出センサ１２と、給水（給湯）流量（湯張りの場合には湯張り流量）を検出する流量検出センサ１３が設けられている。なお、給水管１１の入口側は水道管に接続されている。
【０００５】
前記給湯熱交換器２の出側には給湯管１４が接続されており、この給湯管１４は外部配管を介して台所等の所望の給湯場所に導かれている。前記給湯熱交換器２の出側の流路には給湯温度を検出する給湯温度センサ１５が設けられている。これら、給水管１１から給湯熱交換器２を経由して給湯管１４に至る通路は給湯回路を構成する。
【０００６】
前記追い焚き熱交換器３の入側には管路１６の一端側が接続され、管路１６の他端側は循環ポンプ１７の吐出側に接続されている。そして、循環ポンプ１７の吸込側と浴槽１８は戻り管２０によって接続されており、この戻り管２０には浴槽１８の循環湯水の温度を風呂温度として検出する風呂温度センサ２１と流水を検出する流水センサ（流水スイッチ）１９が設けられている。前記追い焚き熱交換器３の出側には往管２２の一端側が接続され、往管２２の他端側は浴槽１８に接続されており、浴槽１８から戻り管２０を介して循環ポンプ１７、管路１６、追い焚き熱交換器３および往管２２を介して浴槽１８に至る通路は流体の循環流路として機能する追い焚き循環流路２３を構成している。
【０００７】
前記給湯熱交換器２の給湯管１４と追い焚き循環路２３（図１０においては管路１６）は湯張り通路２４によって連通接続されており、この湯張り通路２４には通路の開閉を行う電磁弁等により構成される注湯弁２５が介設され、この注湯弁２５の下流側の湯張り通路２４には浴槽１８の水位を水圧によって検出する水位センサ（圧力センサ）２６が設けられている。
【０００８】
前記流量検出センサ１３、温度センサ１２，１５，２１、水位センサ２６等のセンサ検出信号は制御装置２７に加えられており、この制御装置２７にはリモコン２８が接続されている。このリモコン２８には給湯温度を設定する給湯温度設定手段や、風呂温度を設定する風呂温度設定手段や、自動運転、追い焚き運転、湯張り運転等を指令する各種運転ボタンや、必要な情報を表示する表示部等が設けられている。
【０００９】
前記制御装置２７は各種センサ検出信号とリモコン２８の情報を取り込み、内部に与えられているシーケンスプログラムに従い、給湯運転と、湯張り運転と、追い焚き運転を次のように制御する。
【００１０】
例えば、台所等に導かれた給湯通路の水栓３０が開けられ、流量検出センサ１３により作動流量が検出されると、燃焼ファン６の回転が行われ、電磁弁７，８の開動作が行われてバーナ５に燃料ガスが供給されると共に、点火器（図示せず）の点火によりバーナ５の燃焼が行われ、給湯温度センサ１５で検出される給湯温度がリモコン２８で設定される給湯設定温度に一致するように比例弁１０への開弁駆動電流を制御し、給湯熱交換器２を通る水をバーナ５の火炎により加熱して設定温度の湯を作り出し、この湯を給湯管１４を介して給湯場所へ給湯する。そして、水栓３０が閉められて、流量検出センサ１３からオフ信号が出力されたときに、バーナ燃焼を停止し、給湯運転モードの動作を終了する。
【００１１】
また、リモコン２８により自動運転のモードや、湯張り運転モードが指令されると、注湯弁２５が開けられる。そして、流量検出センサ１３により作動流量が検出されると、給湯運転の場合と同様にバーナ５の燃焼が開始し、給湯熱交換器２で作り出された湯は給湯管１４、湯張り通路２４を通り、さらに分岐して管路１６から追い焚き熱交換器３を経て往管２２を通る通路と戻り管２０を通る通路の両側から浴槽１８に湯が落とし込まれる。そして、設定水位までの湯の水量が落とし込まれたとき、又は水位センサ２６により設定水位が検出されたときに注湯電磁弁２５が閉じられバーナ５の燃焼が停止して湯張り運転モードの動作が終了する。
【００１２】
追い焚き運転モードの動作においては、注湯弁２５が閉じられている状態で、循環ポンプ１７が回転駆動され、浴槽１８内の湯水の循環が追い焚き回路２３を通して行われ、風呂温度センサ２１により浴槽の風呂温度が検出される。そして、風呂検出温度が風呂設定温度よりも低いときには、流水センサ１９から流水オン信号を受けてバーナ５の燃焼が行われ、追い焚き循環流路２３を通して循環する浴槽湯水を追い焚き熱交換器３で加熱する。風呂温度センサ２１により浴槽湯水の温度が風呂設定温度に達したことが検出されたときに、循環ポンプ１７の停止とバーナ５の燃焼停止が行われて追い焚き運転モードの動作が終了する。
【００１３】
上記の如く、一缶二水路風呂給湯器は、共通のバーナ５を用いて一体化された給湯熱交換器２と追い焚き熱交換器３を加熱する方式なので、別体に設けられた給湯熱交換器と追い焚き熱交換器をそれぞれ別個のバーナを用いて燃焼加熱する方式に比べ、装置構成の簡易化が図れ、これに伴い、装置（器具）の小型化とコスト低減が図れることになる。
【００１４】
ところで、この種の一缶二水路式の給湯装置は、給湯熱交換器２と追い焚き熱交換器３とが一体化されているため、追い焚き単独運転が行われて、バーナ５の燃焼により追い焚きが行われると、滞留している給湯熱交換器２内の湯水が加熱されて、沸騰あるいは沸騰寸前の高温に加熱され、水栓３０が開けられて給湯が開始する際に、その高温の湯水が出湯して危険の状態になるという問題が生じる。本出願人は、このような問題を解消するために、バーナ５の間欠燃焼の駆動方式を提案している。このバーナ５の間欠駆動方式は、給湯熱交換器２の水管に給湯熱交換器２内の湯温を検出する給湯熱交湯温センサ３１を設け、図８に示すようにこの給湯熱交湯温センサ３１の検出情報をバーナオン・オフ燃焼制御部３２に加え、このバーナオン・オフ燃焼制御部３２によりバーナ５の間欠燃焼を制御するものである。
【００１５】
すなわち、バーナオン・オフ燃焼制御部３２は、追い焚き単独運転モードの動作（追い焚き単独オンの動作）であることを確認し、図９に示す如く、給湯熱交湯温センサ３１で検出される給湯熱交湯温が予め与えられるオフ温度を上側に越えるときに、電磁弁７（８）を閉じてバーナ５の燃焼を停止（燃焼オフ）し、この燃焼停止中に給湯熱交湯温が予め与えられるオン温度を下側に越えるときに、電磁弁７（８）を開けてバーナ５の燃焼を開始（燃焼オン）させるという如く、バーナ５の間欠燃焼を制御し、追い焚き単独運転中における給湯熱交換器２側の湯温が高温に加熱されるのを防止して給湯開始時の安全をはかるものである。
【００１６】
【発明が解決しようとする課題】
一般に、浴槽１８内には髪の毛等のゴミが混入しやすく、追い焚き運転を行うと、これらの髪の毛等が流水センサ１９の流水検出部に絡みつき、流水センサ１９が故障をおこすという問題が生じる。流水センサ１９が故障すると、例えば、追い焚き運転を行う場合、循環ポンプ１７が駆動して浴槽１８の湯水が追い焚き循環流路２３を循環しているにも拘わらず、その流水が検出されないために、空焚き状態と判断されてバーナ５の燃焼が行われないという不具合状態が発生する。
【００１７】
本発明者は、一缶二水路式の熱交換器の特性、すなわち、追い焚き単独運転の動作中等において、給湯熱交換器２側の熱が追い焚き側の循環湯水に吸熱されて、追い焚き水流の有無によって給湯熱交湯温が変化することに着目し、前記バーナ５の間欠燃焼運転に用いる給湯熱交湯温センサ３１の給湯熱交湯温の検出情報を利用して故障の生じやすい流水センサ１９を用いることなく追い焚き循環の流水の検出を行うことが可能な一缶二水路式給湯装置を提供するものである。
【００１８】
【課題を解決するための手段】
本発明上記技術課題を解決するために、次のような手段を講じている。すなわち、第１の発明は、給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、時間の計測手段を備え、他機能単独運転中に、バーナの燃焼停止時から次のバーナ燃焼開始までの時間が予め与えられる液無し判定時間よりも大となったときに前記循環流路内の液無し検知信号を出力する循環路液無し検出部が設けられている構成をもって課題を解決する手段としている。
【００１９】
また、第２の発明は、給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、時間の計測手段を備え、他機能単独運転中に、バーナの燃焼開始時から次のバーナ燃焼停止までの時間が予め与えられる液無し判定時間よりも小となったときに前記循環流路内の液無し検知信号を出力する循環路液無し検出部が設けられている構成をもって課題を解決する手段としている。
【００２０】
さらに、第３の発明は、給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、時間の計測手段を備え、他機能単独運転中に、バーナの燃焼開始時から次の燃焼停止を経てバーナが再び燃焼開始するまでの時間が予め与えられる液無し判定時間よりも大となったときに前記循環流路内の液無し検知信号を出力する循環路液無し検出部が設けられている構成をもって課題を解決する手段としている。
【００２１】
さらに、第４の発明は、給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、時間の計測手段を備え、他機能単独運転中に、バーナの燃焼停止時から次の燃焼動作を経てバーナが再び燃焼停止するまでの時間が予め与えられる液無し判定時間よりも大となったときに前記循環流路内の液無し検知信号を出力する循環路液無し検出部が設けられている構成をもって課題を解決する手段としている。
【００２２】
さらに、第５の発明は、給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、前記他機能単独運転中に検出される前記熱交湯温の上側ピーク温度が予め与えられる液無し判定温度を上側に越えたときに前記循環流路内の液無し検知信号を出力する循環路液無し検出部が設けられている構成をもって課題を解決する手段としている。
【００２３】
さらに、第６の発明は、給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、前記他機能単独運転中に検出される前記熱交検出湯温の下側ピーク温度が予め与えられる液無し判定温度を上側に越えたときに前記循環流路内の液無し検知信号を出力する循環路液無し検出部が設けられている構成をもって課題を解決する手段としている。
【００２４】
さらに、第７の発明は、給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、前記他機能単独運転中に検出される前記熱交検出湯温の上昇傾きが予め与えられる液無し判定上がり勾配よりも大となったときに前記循環流路内の液無し検知信号を出力する循環路液無し検出部が設けられている構成をもって課題を解決する手段としている。
【００２５】
さらに、第８の発明は、給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、前記他機能単独運転中に検出される前記熱交検出湯温の下降傾きが予め与えられる液無し判定下がり勾配よりも小となったときに前記循環流路内の液無し検知信号を出力する循環路液無し検出部が設けられている構成をもって課題を解決する手段としている。
【００２６】
さらに、第９の発明は、給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、時間の計測手段を備え、前記他機能単独運転中の少なくとも前記熱交検出湯温の上側ピーク温度と下側ピーク温度を経時データとして取り込み記憶する経時温度データ採取記憶部と、前記取り込み記憶された経時データを時間軸と温度軸のグラフ上に表したときの両隣の下側ピーク温度を結ぶ下側ピーク間結線の長さ（ａ＋ｂ）のデータと上側ピーク温度から前記下側ピーク間結線に下した垂線の長さｃのデータとこの垂線の交点の位置から前側の下側ピーク温度までの線長ａのデータと前記垂線の交点の位置から後方の下側ピーク温度までの線長ｂのデータのうちのいずれか２つのデータの比を求めこの求めた比の値を予め与えられている液無し判定比率値と比較し、予め与えられる比較判定ルールに従い液無しの判定結果となったときに前記循環流路内の液無し検知信号を出力する循環路液無し検出部が設けられている構成をもって課題を解決する手段としている。
【００２７】
さらに、第１０の発明は、給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、時間の計測手段を備え、前記他機能単独運転中の少なくとも前記熱交検出湯温の上側ピーク温度と下側ピーク温度を経時データとして取り込み記憶する経時温度データ採取記憶部と、前記取り込み記憶された経時データを時間軸と温度軸のグラフ上に表したときの上側のピーク温度と下側のピーク温度との経時的に連続する４個のピーク温度位置と下側のピーク温度位置から両隣の上側のピーク温度を結ぶ線に下ろした垂線の交点位置と上側のピーク温度位置から両隣の下側のピーク温度を結ぶ線に下ろした垂線の交点位置の３点以上を結んで得られる図形の面積を求めこの求めた図形の面積を予め与えられる液無し判定面積と比較し予め与えられる比較判定ルールに従い液無しの判定結果となったときに前記循環流路内の液無し検知信号を出力する循環路液無し検出部が設けられている構成をもって課題を解決する手段としている。
【００２８】
さらに、第１１の発明は、前記第１乃至第１０のいずれか１つの発明の構成を備えたものにおいて、液無し検知信号を受けて循環路内の液無し状態を報知する液無し報知手段が設けられている構成をもって課題を解決する手段としている。
【００２９】
さらに、第１２の発明は、前記第１乃至第１１のいずれか１つの発明の構成を備えたものにおいて、液無し検知信号を受けて他機能単独運転の停止を行う空焚き防止安全手段が設けられている構成をもって課題を解決する手段としている。
【００３０】
さらに、第１３の発明は、前記第１乃至第１２のいずれか１つの発明の構成を備えたものにおいて、循環流路は浴槽に接続されて浴槽湯水を循環する追い焚き循環流路と成し、非給湯側熱交換器は循環浴槽湯水を追い焚きする追い焚き熱交換器と成した構成をもって課題を解決する手段としている。
【００３１】
上記本発明においては、給湯以外の他機能単独運転の動作中は、給湯熱交湯温センサによって給湯熱交換器内の湯温が検出され、その給湯熱交湯温に基づいてバーナのオン・オフ間欠燃焼が行われて給湯熱交換器内の滞留湯水の温度が高温に達するのを防止する。
【００３２】
その一方で、バーナのオン・オフ間欠燃焼のバーナオフからオンまで、オンからオフまで、オンからオンまで、オフからオフまでという如く予め定められたバーナの動作状態の時間の情報あるいは給湯熱交湯温センサで検出される給湯熱交湯温の検出情報が循環路液無し検出部に加えられる。
【００３３】
循環路液無し検出部は、これらの加えられる情報とこれらの情報に対応する判定値とを比較し、予め定められるルールに従い循環流路に液体（流体）がないものと判断されたときには、液無し検出信号を出力する。
【００３４】
この液無し検出信号を受けて循環流路内に液体（流体）がないことを報知したり、空焚きを防止するためのバーナの燃焼停止（他機能単独運転の停止）が行われて器具運転の安全が図られる。
【００３５】
【発明の実施の形態】
以下、本発明の実施形態例を図面に基づき説明する。図１はバーナ５のオン・オフ間欠燃焼の動作状態の時間計測情報に基づき循環流路内の流体の有無を判別して器具運転の安全を図る実施形態例の要部を示すブロック構成を示すものである。本実施形態例の一缶二水路式給湯装置のシステムは図１０に示す流水センサ１９が必要に応じ省略される以外は図１０に示すものと同様であり、同一名称部分には同一符号を用いてその重複説明は省略する。
【００３６】
図１に示す第１の実施形態例の特徴的な制御構成は制御装置２７に設けられるもので、バーナオン・オフ燃焼制御部３２と、時間計測手段３３と、循環路液無し検出部として機能する循環路水無し検出部３４と、データメモリ３５と、液無し報知手段として機能する水無し報知手段３６と、空焚き防止安全手段３７とを有して構成されている。バーナオン・オフ燃焼制御部３２は前記図８で説明した場合と同様に給湯熱交湯温センサ３１の給湯熱交湯温検出データを取り込み、給湯熱交湯温が予め設定されているオフ温度を上側に越えたときにはバーナ５の燃焼を停止し、給湯熱交湯温が予め与えらているオン温度を下側に越えたときにはバーナ５の燃焼を再開するという如く、バーナ５をオン・オフ間欠燃焼させて追い焚き単独運転中に給湯熱交換器２内の滞留湯水の温度が高温になるのを防止する。
【００３７】
循環路水無し検出部３４は、前記バーナオン・オフ燃焼制御部３２によるバーナ５のオン・オフ間欠燃焼制御の信号を取り込んでバーナ５が燃焼状態にあるか燃焼停止状態にあるかを検出し、時間計測手段３３の時間計測情報と、データメモリ３５に格納されている追い焚き循環路２３内の水の有無判定値とを比較して追い焚き循環路２３内の水（流水）の有無を検出する。
【００３８】
より具体的に説明すれば、データメモリ３５にはバーナ５の燃焼停止（燃焼オフ）から次の燃焼開始（燃焼オン）までの時間によって追い焚き熱交換器２３内の水無し状態を判定するための液無し判定時間としての水無し判定時間ｔ1のデータが格納されている。本発明者の実験による検討によれば、バーナ５のオン・オフ間欠燃焼を行ったときの給湯熱交湯温の変化は、追い焚き循環流路２３内が水で満たされている場合は図３に示すような変化を示し、追い焚き循環流路２３内に水がないときには図６に示すような給湯熱交湯温の変化パターンを示すことが検証されている。
【００３９】
すなわち、追い焚き循環流路２３内に水が無い場合には、バーナ５の燃焼区間においては、追い焚き循環流路２３側には循環水流が存在しないので、給湯熱交換器２側から追い焚き熱交換器３を通る流水側への吸熱量がないので、その分、給湯熱交換器２側の滞留湯水の温度上昇のスピードが早くなり、給湯熱交湯温は時間の経過に従い急速に立ち上がる。また、バーナ５の燃焼停止区間では、同様に追い焚き循環流路２３の流水による吸熱がないため、給湯熱交換器２内の湯温は自然空冷状態で低下するため、その湯温降下のスピードが遅く、追い焚き循環流路２３が水で満たされて循環している場合に比べ給湯熱交湯温はゆっくりと低下する。すなわち、図３と図６の温度変化パターンを比較すれば明らかな如く、バーナがオフしてから次にバーナがオンするまでの時間ｔ1は追い焚き循環流路２３内に流水がある場合とない場合とでは水がない場合の方が遥かに大きくなる。この点に着目し、本実施形態例では、追い焚き循環流路２３内に水がある場合とない場合との判断の基準となる前記時間ｔ1を予め実験等により求め、その値を水無し判定時間ｔ1としてデータメモリ３５に格納している。
【００４０】
時間計測手段３３はタイマやクロック機構等の時間計測機能を備えた手段により構成されており、循環路水無し検出部３４の指令によって時間の計測を行う。
【００４１】
循環路水無し検出部３４は、バーナオン・オフ燃焼制御部３２によるバーナ５の間欠燃焼の制御信号に基づき、バーナ５の燃焼オフの時点と燃焼開始の時点とを検知し、バーナ５の燃焼オフの時点を検知したときから次の燃焼開始までの時間の計測指令を時間計測手段３３に加え、そのバーナ燃焼停止から次のバーナ燃焼開始までの時間の検出情報を時間計測手段３３から得る。
【００４２】
そして、その計測時間ｔ1とデータメモリ３５に予め格納されている前記水無し判定時間ｔ1とを比較し、検出時間ｔ1が水無し判定時間ｔ1よりも大となったときに、追い焚き循環流路２３内には流水がないものと判断し、水無し検知信号（液無し検知信号）を水無し報知手段３６と空焚き防止安全手段３７に加える。
【００４３】
液無し報知手段として機能する水無し報知手段３６は、前記循環路水無し検出部３４から水無し検知信号が出力されたときには、例えばリモコン２８の表示部あるいはその他の適宜の手段によって追い焚き循環流路２３内に水がないことをブザー等の音声、液晶画面へのメッセージ表示、合成音によるメッセージ表示、ランプ等による点灯、点滅によるランプ表示等の適宜の報知形態でもって水無し報知を行う。
【００４４】
空焚き防止安全手段３７は、前記循環路水無し検出部３４から水無し検知信号が出力されたときに電磁弁７（８）を閉じてバーナ５の燃焼を強制的に停止ロックし、追い焚き熱交換器３の空焚きの危険を防止する。なお、バーナ燃焼の停止ロックは、リセット信号が加えられない限り、バーナ５の燃焼の開始指令を受けつけない動作状態を意味し、例えば、制御装置２７の電源が一端切られてから再び電源がオンすることによりリセットがされるものである。
【００４５】
この実施形態例においては、追い焚き単独運転中のバーナ５のオン・オフ間欠燃焼制御におけるバーナ燃焼停止時から燃焼開始までの時間計測データによって追い焚き循環流路２３内の水の有無が検出できるので、流水を検出する図１０に示す流水センサ１９を省略することが可能となり、その分、装置コストの低減化を図ることが可能である。
【００４６】
また、本実施形態例では追い焚き循環流路２３に流水を検出するためのセンサを設けることなく流路２３内の流水の有無を判断できるので、追い焚き循環流水を検出するセンサに髪の毛等が絡みついて故障をおこすという問題は全く生じないので、追い焚き循環流路２３内の流水の有無判断を確実に、且つ、高信頼性のもとで検出することができ、追い焚き熱交換器３の空焚きによる危険防止を確実に図ることができる。
【００４７】
流水センサ１９を用いて追い焚き循環流路２３内の流水の有無を判断する方式では、流水センサ１９は故障しやすいので、故障が生じたときには、追い焚き循環流路２３内に循環湯水の流水が生じているにも拘わらずその検知信号が得られずに燃焼が停止されて追い焚きが出来なかったり、あるいは追い焚き循環流路２３内に水（流水）がないにも拘わらずこれを検知することが出来ずに空焚き状態になるという危険発生があり得るが、本実施形態例ではこのような問題を確実に防止できるので、追い焚きの運転を円滑に行うことができるとともに、前記の如く空焚き防止を確実に図ることができるという優れた効果を奏することが可能となるものである。
【００４８】
次に、バーナ５の間欠燃焼制御の動作状態の時間計測情報に基づいて追い焚き循環流路２３内の水（流水）の有無を判断する第２の実施形態例を説明する。この第２の実施形態例の制御構成は前記図１に示すブロック構成と同様であり、この第２の実施形態例が前記第１の実施形態例と異なることは、追い焚き単独運転中におけるバーナ５のオン・オフ間欠燃焼によるバーナ５の燃焼開始時から次の燃焼停止までの時間ｔ2の情報によって追い焚き循環流路２３内の水（流水）の有無を判断するように構成したことであり、それ以外の構成は前記第１の実施形態例と同様である。
【００４９】
この第２の実施形態例においては、データメモリ３５にはバーナ５の燃焼開始時から燃焼停止までの時間ｔ2によって追い焚き循環流路２３内の水（流水）の有無を判定するための水無し判定時間ｔ2が格納される。そして、循環路水無し検出部３４は、追い焚き単独運転中に、バーナ５の燃焼開始時から次の燃焼停止までの時間ｔ2を時間計測手段３３により計測し、その計測時間ｔ2とデータメモリ３５に格納されている水無し判定時間ｔ2を比較し、検出時間（計測時間）ｔ2が水無し判定時間ｔ2よりも小となったときに、水無し検知信号を出力する。なお、図３と図６の温度変化パターンから明らかな如く、追い焚き循環流路２３内に流水がない状態のときの図６に示すｔ2の値が、水がある場合の図３に示すｔ2よりも小さな値となり、追い焚き循環流路２３内に水がないときと有るときの判断の基準となるデータを予め実験等により求め、その値を水無し判定時間ｔ2の値としてデータメモリ３５に格納することになる。また、水無し検知信号が加えられたときの水無し報知手段３６と空焚き防止安全手段３７の動作は前記第１の実施形態例の場合と同様であるのでその説明は省略する。
【００５０】
この第２の実施形態例も、前記第１の実施形態例と同様の効果を奏するものである。
【００５１】
次にバーナ５のオン・オフ間欠燃焼の動作状態の時間計測情報に基づいて追い焚き循環流路２３内の水（流水）の有無検出を行う第３の実施形態例を説明する。この第３の実施形態例は追い焚き単独運転中におけるバーナ５の燃焼開始時から燃焼停止期間を介して再び燃焼開始されるまでの時間ｔ3の情報に基づき追い焚き循環流路２３内の水（流水）の有無を判断するように構成したものであり、それ以外の構成は前記第１および第２の各実施形態例と同様である。
【００５２】
この第３の実施形態例においては、データメモリ３５に追い焚き単独運転中におけるバーナ５の燃焼開始時から次の燃焼停止期間を介して再び燃焼が開始されるまでの時間ｔ3によって水無し判定時間ｔ3の値が格納される。このバーナ５の燃焼開始時から次の燃焼開始時までの時間ｔ3は図３と図６を比較すれば明らかな如く、追い焚き循環流路２３内に水がある状態の図３に示されるｔ3よりも追い焚き循環流路２３に水がない状態を示す図６のｔ3の値が大きくなる。このｔ3による水無し判定時間も追い焚き循環流路２３内に水がある場合とない場合の判断の基準となる最適値を予め実験等により求めてその値が水無し判定時間ｔ3としてデータメモリ３５に格納されることになる。
【００５３】
この第３の実施形態例では循環路水無し検出部３４は時間計測手段３３によって追い焚き単独運転中におけるバーナ５の燃焼開始時から次の燃焼停止期間を介して次にバーナの燃焼が開始されるまでの時間を検出し、その検出時間ｔ3とデータメモリ３５に格納されている水無し判定時間ｔ3とを比較し、検出時間ｔ3が水無し判定時間ｔ3よりも大となったときに追い焚き循環流路２３内に水（流水）がない状態と判断して水無し検知信号を出力し、水無し報知手段３６による水無しの報知と空焚き防止安全手段３７による燃焼の強制的な停止ロック動作を行うものである。この第３の実施形態例も前記第１、第２の各実施形態例と同様な効果を奏するものである。
【００５４】
次にバーナ５のオン・オフ燃焼動作状態の時間計測情報に基づいて追い焚き循環流路２３内の水（流水）の有無を判断する第４の実施形態例を説明する。この第４の実施形態例は追い焚き単独運転中におけるバーナ５の燃焼停止時から次の燃焼期間を介して次に燃焼停止されるまでの時間ｔ4の情報に基づき追い焚き循環流路２３内の水の有無の判断を行うように構成したものであり、それ以外の構成は前記第１、第２、第３の各実施形態例と同様である。
【００５５】
この第４の実施形態例では、データメモリ３５には追い焚き単独燃焼運転中のバーナ燃焼停止時から次の燃焼期間を介して再び燃焼停止されるまでの時間ｔ4によって追い焚き循環流路２３内の水の有無を判断するための水無し判定時間ｔ4の値が格納される。このｔ4の時間は図３と図６の動作状態を比較すれば明らかな如く、追い焚き循環流路２３内に水がある場合の図３に示すｔ4の値よりも追い焚き循環流路２３内に水がない図６の状態のｔ4の値が明らかに大きくなっている。この水無し判定時間ｔ4も追い焚き循環流路２３内に水がある場合とない場合を判断する基準となる最適値が予め実験等により求めてその求められた値が水無し判定時間ｔ4としてデータメモリ３５に格納される。
【００５６】
循環路水無し検出部３４は追い焚き単独運転中におけるバーナ５の燃焼停止時から次の燃焼期間を介して再び燃焼停止されるまでの時間ｔ4を時間計測手段３３を用いて検出し、その検出時間ｔ4とデータメモリ３５に与えらている水無し判定時間ｔ4とを比較し、検出時間ｔ4が水無し判定時間ｔ4よりも大となったときに追い焚き循環流路２３内に水（流水）がない状態と判断して水無し検知信号を出力し、水無し報知手段３６による水無し報知と空焚き防止安全手段３７による燃焼の停止ロック動作を行わせるものである。
【００５７】
この第４の実施形態例も前記第１〜第３の各実施形態例と同様な効果を奏するものである。
【００５８】
次に給湯熱交湯温センサ３１の給湯熱交湯温検出情報に基づき追い焚き循環流路２３内の水（流水）の有無の判断を行う本発明の第５の実施形態例について説明する。この実施形態例は図２に示すブロック構成を有するもので、バーナオン・オフ燃焼制御部３２と、循環路液無し検出部として機能する循環路水無し検出部３４と、液無し報知手段として機能する水無し報知手段３６と、空焚き防止安全手段３７とを有して構成されており、バーナオン・オフ燃焼制御部３２と水無し報知手段３６と空焚き防止安全手段３７の構成は前記図１に示すものと同様であるのでその説明は省略する。この実施形態例の循環路水無し検出部３４は、経時温度データ採取記憶部３８と、比較部４０と、液無し検知信号出力部としての水無し検知信号出力部とを有して構成されている。
【００５９】
経時温度データ採取記憶部３８は給湯熱交湯温センサ３１で検出される給湯熱交湯温の検出情報を例えば０．１秒あるいは１秒という如く所定のサンプリング時間ごとに取り込んでそのデータを記憶する。データメモリ３５には追い焚き循環流路２３内の水（流水）の有無を給湯熱交湯温の上側のピーク温度Ｐuによって判断するための液無し判定温度としての水無し判定温度Ｔuの値が格納される。本発明者の実験による検討によれば、給湯熱交湯温の経時変化のパターン上で、例えば図３に示される上側ピーク温度Ｐuは追い焚き循環流路２３内に水がない場合にはその循環流による給湯熱交換器２側からの吸熱（奪う熱）がないので、上側ピーク温度は追い焚き循環流路２３内に水（流水）がある場合に比べ高くなる。この給湯熱交湯温の上側ピーク温度によって追い焚き循環流路２３内の水の有無を判断する基準となる温度は予め実験等により求め、その求めた最適値を水無し判定温度Ｔuとしてデータメモリ３５に格納する。
【００６０】
比較部４０は経時温度データ採取記憶部３８で採取記憶された給湯熱交湯温のピーク温度Ｐuとデータメモリ３５に格納されている上側ピーク温度の水無し判定温度Ｔuとを比較し、その比較結果を水無し検知信号出力部４１に加える。
【００６１】
水無し検知信号出力部４１は、給湯熱交湯温の上側ピーク温度の検出値が水無し判定温度Ｔuを上側に越えたときには、追い焚き循環流路２３内に水（流水）がないものと判断し、水無し検知信号（液無し検知信号）を水無し報知手段３６と空焚き防止安全手段３７に加える。
【００６２】
水無し報知手段３６は前記図１に示される構成の場合と同様に水無し検知信号を受けて追い焚き循環流路２３内に水（流水）がないことを報知する。また、空焚き防止安全手段３７も前記図１に示す構成と同様に水無し検知信号を受けて電磁弁７（８）を閉じ、バーナ５の燃焼を強制的にロック停止する。
【００６３】
この実施形態例においても、前記図１０に示すような流水センサ１９によらずに、給湯熱交湯温センサ３１の給湯熱交湯温の検出情報に基づき追い焚き循環流路２３内の水の有無が判断できるので、前記図１に示す第１〜第４の各実施形態例と同様な効果を奏するものである。
【００６４】
次に給湯熱交湯温センサ３１の給湯熱交湯温の検出情報に基づき追い焚き循環流路２３内の水（流水）の有無を判断する本発明の第６の実施形態例を説明する。この第６の実施形態例は給湯熱交湯温の経時変化データの下側ピーク温度ＰLに基づいて追い焚き循環流路２３内の水（流水）の有無を判断するように構成したものであり、それ以外の構成は前記第５の実施形態例と同様である。給湯熱交湯温の経時変化データの下側ピーク温度ＰLは追い焚き循環流路２３内に水がない場合の方が水がある場合に比べ、給湯熱交換器２側から追い焚き熱交換器３側に吸熱される熱量が小さいので、下側ピーク温度ＰLは高くなる。この下側ピーク温度ＰLによって追い焚き循環流路２３内の水の有無を判断する場合においても、その水の有無の判断基準となる温度は予め実験等により求め、その求めた最適値を下側ピーク温度ＰLの水無し判定温度ＴLのデータとしてデータメモリ３５に格納する。
【００６５】
そして、比較部４０は、前記経時温度データ採取記憶部３８で採取記憶された給湯熱交湯温の経時変化データの下側ピーク温度とデータメモリ３５に格納されている下側ピーク温度の水無し判定温度ＴLとを比較し、その比較結果を水無し検知信号出力部４１に加えることになる。
【００６６】
水無し検知信号出力部４１は、下側ピーク温度の検出値ＰLがデータメモリ３５に与えられている下側ピーク温度の水無し判定温度ＴLを上側に越えたときに、すなわち、下側ピーク温度の検出値が下側ピーク温度の水無し判定温度ＴLよりも高いときに、追い焚き循環流路２３内に水（流水）がないものと判断して水無し検知信号を出力し、水無し報知手段３６による水無し報知と空焚き防止安全手段３７によるバーナ５の燃焼の停止ロック動作を行わせるものである。
【００６７】
この第６の実施形態例も前記第１〜第５の各実施形態例と同様の効果を奏するものである。
【００６８】
次に給湯熱交湯温の検出情報に基づき追い焚き循環流路２３内の水（流水）の有無を判断する本発明の第７の実施形態例を説明する。この第７の実施形態例は給湯熱交湯温の経時変化データにおける熱交検出湯温の上昇傾きにより追い焚き循環流路２３内の水（流水）の有無を判断するように構成したものである。
【００６９】
給湯熱交湯温の上昇傾きは、図３と図６を比較すれば明らかな如く、追い焚き循環流路２３内に水（流水）がない場合の方が水のある場合よりも上昇傾きは大となる。この上昇傾きによって追い焚き循環流路２３内の水（流水）の有無を判断する基準となる値は、予め実験により求められ、その求められた値が液無し判定上り勾配としての水無し判定上り勾配の値としてデータメモリ３５に格納される。
【００７０】
この第７の実施形態例では図２の破線で示すように循環路水無し検出部３４に演算部４２が設けられ、演算部４２は経時温度データ採取記憶部３８で採取記憶された給湯熱交湯温の経時データから給湯熱交湯温の上昇の傾きを演算により求め、その演算値を比較部４０に加える。
【００７１】
比較部４０は演算された給湯熱交湯温の上昇の傾きとデータメモリ３５に格納されている水無し判定上り勾配との値とを比較し、その比較結果を水無し検知信号出力部４１に加える。
【００７２】
水無し検知信号出力部は前記演算部４２で演算された給湯熱交湯温の上昇傾きの値がデータメモリ３５に格納されている水無し判定上り勾配の値よりも大となったときに追い焚き循環流路２３内に水（流水）がない状態と判断して水無し検知信号を出力し、水無し報知手段３６による水無しの報知と空焚き防止安全手段３７によるバーナ５の強制的な燃焼の停止ロックの動作を行わせるものである。この第７の実施形態例も前記第１〜第６の各実施形態例と同様な効果を奏するものである。
【００７３】
次に給湯熱交湯温の検出情報に基づき追い焚き循環流路２３内の水（流水）の有無の判断を行う第８の実施形態例を説明する。この第８の実施形態例は給湯熱交湯温の下降傾きにより追い焚き循環流路２３内の水（流水）の有無を判断するように構成したものである。給湯熱交湯温のバーナ燃焼の停止期間における下降傾きは図３と図６の温度変化パターンから明らかなように、追い焚き循環流路２３内に水（流水）がない場合の方が水がある場合に比べ緩やかとなる。
【００７４】
この給湯熱交湯温の下降傾きにより追い焚き循環流路２３内の水（流水）の有無を判断するための基準となる値は予め実験等により求め、その求めた値が液無し判定下り勾配としての水無し判定下り勾配の値としてデータメモリ３５に格納される。この第８の実施形態例では演算部４２により、経時温度データ採取記憶部３８に採取記憶された給湯熱交湯温の経時データによって給湯熱交湯温の下降傾きが演算され、その演算結果が比較部４０に加えられる。
【００７５】
比較部４０は演算部４２で演算された前記下降傾きの値とデータメモリ３５に与えられている水無し判定下り勾配との値を比較し、演算値が水無し判定下り勾配よりも小さくなったときに追い焚き循環流路２３内に水（流水）がないものと判断して水無し検知信号を出力し、水無し報知手段３６により水無し報知を行わせ、空焚き防止安全手段３７により燃焼の停止ロック動作を行わせるものである。
【００７６】
この第８の実施形態例も前記第１〜第７の各実施形態例と同様な効果を奏するものである。
【００７７】
次に給湯熱交湯温の経時変化データに基づき追い焚き循環流路２３内の水（流水）の有無の判断を行う第９の実施形態例を説明する。この第９の実施形態例のブロック構成は前記図２に示すものと同様であり、演算部４２は経時温度データ採取記憶部３８により採取記憶されたデータから  図４に示す如く、給湯熱交湯温の経時変化データ中の上側ピーク温度Ｐuとその前側の第１の下側ピーク温度ＰL1と後側の第２の下側ピーク温度ＰL2のデータを取り込んで、これらのデータを横軸を時間軸とし、縦軸を温度軸としたグラフ上に表し、下側ピーク温度ＰL1とＰL2を結ぶ線と上側ピーク温度ＰuからのＰL1、ＰL2間の線に垂線を降ろした交点Ｑを求める。そして、両隣の下側ピーク温度ＰL1、ＰL2を結ぶ下側ピーク間結線の長さ（ａ＋ｂ）と、第１の下側ピーク温度ＰL1と交点Ｑまでの線分の長さａと、交点Ｑと第２の下側ピーク温度ＰL2を結ぶ線分の長さｂと、前記上側ピーク温度Ｐuと交点Ｑ間の垂線の長さｃとのうちの何れか２つのデータの比を演算により求め、その演算結果を比較部４０に加える。
【００７８】
データメモリ３５には前記演算部４２で求められる比に対応した液無し判定比率値に対応する水無し判定比率値の値が予め与えられている。この水無し判定比率値の値は予め実験により、演算部４２に求められる比によって追い焚き循環流路２３内の水（流水）の有無を判断するための基準の値として求められ、その求められた値が水無し判定比率値のデータとしてデータメモリ３５に格納される。
【００７９】
比較部４０は前記演算部４２で求められる比の値とデータメモリ３５に格納されている水無し判定比率値とを比較し、その比較結果を水無し検知信号４１に加える。
【００８０】
水無し検知信号出力部４１には予め前記演算部４２で演算される比と前記水無し判定比率値との大小関係によって決定される追い焚き循環流路２３内の水（流水）の有無の比較判定ルールが与えられており、水無し検知信号出力部４１はこの比較判定ルールに従い演算部４２で求められた比の値とデータメモリ３５に格納されている水無し判定比率値との比較結果を比較判定ルールと参照し、追い焚き循環流路２３内の水（流水）の有無を検知する。そして、追い焚き循環流路２３内に水（流水）がないものと判断したときには水無し検知信号を出力し、水無し報知手段３６による水無しの報知と空焚き防止安全手段３７によるバーナ５の燃焼停止のロック動作を行わせる。
【００８１】
次に図４に示す前記ａ，ｂ，ｃ、（ａ＋ｂ）のうちの２つのデータの組み合わせによる比に基づく追い焚き循環流路２３内の水（流水）の有無の判断例をより具体的に説明する。
【００８２】
まず、演算部４２によりｂ／ａの演算が行われる構成としたときには、データメモリ３５にはこのｂ／ａに対応する判定比率値のデータが格納される。そして、比較部４０により、ｂ／ａの比の演算値がデータメモリ３５に与えられている判定比率値よりも大のときに水無し検知信号出力部４１から水無し検知信号が出力される。
【００８３】
また、演算部４２によりｂ／ｃの値を演算して追い焚き循環流路２３内の水（流水）の有無を検出する構成とする場合には、データメモリ３５にはこのｂ／ｃの演算値に対応する判定比率値の値がデータメモリ３５に格納される。そして、比較部４０により、演算部４２で演算されたｂ／ｃの値がデータメモリ３５に格納されている判定比率値と比較し、演算値が判定比率値よりも大となったときに水無し検知信号出力部４１により水無し検知信号が出力される。
【００８４】
同様に、演算部４２によりｂ／（ａ＋ｃ）の値を演算して追い焚き循環流路２３内の水（流水）の有無を検出する構成とする場合には、データメモリ３５にはｂ／（ａ＋ｃ）に対応する判定比率値が予め格納され、演算値がその判定比率値よりも大となったときに水無し検知信号が出力されるように構成される。
【００８５】
同様に、演算部４２によりａ／ｂ，ｃ／ｂ，（ａ＋ｃ）／ｂ等の各演算値に基づき追い焚き循環流路２３の水（流水）の有無の判断を行う構成とする場合には、それぞれａ／ｂ，ｃ／ｂ，（ａ＋ｃ）／ｂに対応する判定比率値がデータメモリ３５に与えられ、比較部４０により演算部４２で演算された演算値とその演算値に対応するデータメモリ３５の判定比率値とが比較され、演算値が対応する判定比率値よりも小となったときに水無し検知信号出力部４１により水無し検知信号が出力される構成となる。
【００８６】
このように、第９の実施形態例においては、図４に示すａ，ｂ，ｃ，（ａ＋ｂ）の任意の２つのデータの組み合わせの比が演算部４２により演算され、その演算値とその演算値に対応する判定比率値とが比較され、予め与えられる比較判定ルールに従い水無しの判定結果となったときに水無し検知信号出力部４１から水無し検知信号が出力されて水無し報知手段３６による水無し報知と空焚き防止安全手段３７によるバーナ５の燃焼停止ロックが行われるものであり、この第９の実施形態例も前記第１〜第８の各実施形態例と同様の効果を奏するものである。
【００８７】
次に給湯熱交湯温センサ３１により検出される給湯熱交湯温の情報に基づき追い焚き循環流路２３内の水（流水）の有無の判断を行う本発明の第１０の実施形態例を説明する。この第１０の実施形態例の制御構成は図２に示すものと同様であり、この第１０の実施形態例では、演算部４２により、経時温度データ採取記憶部３８に採取記憶された給湯熱交湯温の経時データに基づき、図５に示すように横軸を時間軸とし、縦軸を温度軸したグラフ上に給湯熱交湯温の上側のピーク温度と下側のピーク温度の経時的に連続する４個のピーク温度位置Ｐu1，ＰL1，Ｐu2，ＰL2と、下側のピーク温度位置ＰL1からその両隣の上側のピーク温度Ｐu1，Ｐu2を結ぶ線に降ろした垂線の交点位置Ｑ1と、上側のピーク温度位置Ｐu2からその両隣の下側のピーク温度ＰL1，ＰL2を結ぶ線に降ろした垂線の交点位置Ｑ2のうち、予め定められる３点以上を結んで得られる図形の面積を求める。
【００８８】
一方、データメモリ３５にはその求められる図形に応じた液無し判定面積値としての水無し判定面積値の値が格納される。
【００８９】
比較部４０は前記演算部４２で求められた図形面積値とデータメモリ３５に格納されているその図形面積値に対応する水無し判定面積値を比較し、その比較結果を水無し検知信号出力部４１に加える。
【００９０】
水無し検知信号出力部４１には前記演算部４２で求められる図形面積演算値とその演算値に対応する水無し判定面積値との大小関係によって定まる追い焚き循環流路２３内の水（流水）の有無を判定するための比較判定ルールが予め与えられており、水無し検知信号出力部４１は演算部４２で演算された図形面積値と対応する水無し判定面積値との比較結果に基づき、前記比較判定ルールに従い追い焚き循環流路２３内に水（流水）がないものとの判断結果を得たときには、水無し検知信号を出力し、水無し報知手段３６による水無し報知と、空焚き防止安全手段３７によるバーナ５の燃焼停止のロック動作を行わせる。
【００９１】
前記演算部４２による図形面積の演算は、例えば、図５のＰu1，ＰL1，Ｑ1を結ぶ三角形の面積、ＰL1，Ｐu2，Ｑ1を結ぶ三角形の面積、ＰL1，Ｐu2，Ｑ2を結ぶ三角形の面積、Ｑ2，Ｐu2，ＰL2を結ぶ三角形の面積、Ｐu1，Ｐu2，ＰL1を結ぶ三角形の面積、Ｐu2，ＰL1，ＰL2を結ぶ三角形の面積、Ｑ1，ＰL1，Ｑ2，Ｐu2を結ぶ四角形の面積、Ｐu1，ＰL1，ＰL2，Ｐu2を結ぶ四角形の面積等、予め定められた点を結んで図形の面積が求められるのである。
【００９２】
そして、例えば、Ｐu1，ＰL1，Ｑ1を結んで得られる図形の面積とその面積に対応する水無し判定面積値とが比較される場合には、図形面積演算値が水無し判定面積値よりも大となったときに水無し検知信号が出力され、同様に、Ｑ2，Ｐu2，ＰL2を結ぶ三角形の面積とその面積に対応する水無し判定面積値との比較が行われる場合は、演算面積値が水無し判定面積値よりも大きくなったときに水無し検知信号が出力されることとなる。その逆に、例えば、ＰL1，Ｑ1，Ｐu2を結ぶ三角形の面積や、ＰL1，Ｐu2，Ｑ2を結ぶ三角形の面積が対応する水無し判定面積値と比較される場合には、演算面積値が水無し判定面積値よりも小となったときに水無し検知信号が出力されることになる。このように、第１０の実施形態例では、演算部４２で求められる図形の面積とその面積に対応する水無し判定面積値との大小関係が比較判定ルールに従い判断されて、追い焚き循環流路２３に水（流水）がないものと判断されたときには水無し検知信号が出力されるのである。
【００９３】
この第１０の実施形態例においても、前記第１〜第９の各実施形態例と同様の効果を奏するものである。
【００９４】
なお、本発明は上記各実施形態例に限定されることはなく、様々な実施の形態例を採り得る。例えば、上記実施形態例では、非給湯側熱交換器を追い焚き熱交換器３とし、流体の循環流路を追い焚き循環流路２３としたが、前記非給湯側熱交換器は追い焚き以外の熱交換器としてもよく、また、流体の循環流路を追い焚き循環流路以外の循環流路としてもよいものである。
【００９５】
例えば、図７に示すように、非給湯側熱交換器を暖房用熱交換器４４とし、流体の循環流路を暖房循環流路４５としてもよいものである。この暖房と給湯の機能を有する一缶二水路式給湯装置では、エチレングリコールやプロピレングリコールに水を加えた流体が循環ポンプ１７によって暖房循環流路４５を循環し、その循環流体は暖房用熱交換器４４で加熱され、その加熱流体は放熱器４６を通るときに暖房ファン４７の風を受けて放熱し、放熱器４６を通った暖かい風が室内に導入されて室内暖房が行われるものである。
【００９６】
なお、図７中４８はバイパス流路、４９はシスターンタンク、５０は暖房オン・オフバルブをそれぞれ示している。
【００９７】
また、図１０に示すシステム構成では、湯張り通路２４を設けたが、この湯張り通路２４は省略してもよく、また、図１０の破線で示すように給水管１１と給湯管１４間にバイパス通路４３を設けたものでもよく、給湯熱交換器２と非給湯側の熱交換器とが一体化された一缶二水路式の構成を備えた器具であればよく、その給湯側と非給湯側のシステム構成は上記実施形態例以外の様々なシステム形態を採り得るものである。
【００９８】
なお、上記実施形態例では、追い焚き単独運転中（給湯以外の他機能単独運転中）の動作中で流体の循環流路内の液体（流体の流れ）の有無を判断するようにしたが、給湯と他機能の同時運転時や、給湯の単独運転時においても、循環流路に流水センサ１９等を設けることなく循環流路内の液体（液体の流れ）の有無を判断する手段を他の特許出願で提案しており、循環流路内の液体（液体の流れ）の有無の判断が流水センサ１９等を設けることなく、他機能単独運転（例えば追い焚き単独運転）以外の動作においても支障なく行われるものである。
【００９９】
【発明の効果】
本発明によれば、流水センサ等の液体（流体）の有無を検出するセンサを循環流路に設けることなくバーナのオン・オフ燃焼制御によるバーナのオン・オフの動作状態の時間情報により、あるいは給湯熱交湯温センサによって検出される給湯熱交湯温（熱交検出湯温）の情報によって循環流路内の流体（流体の流れ）の有無が判断できるので、例えば、髪の毛等のゴミが循環流体に混入して循環流路に流れたとしても、それらのゴミによって故障するという問題をおこすことなく循環流路内の流体（流体の流れ）の有無を確実、且つ、正確に検出することが可能となる。
【０１００】
また、前記の如く、流体（液体）の循環流路に流水センサ等の循環流体の流れを検出するセンサを省略できるので、その分、装置コストの低減化を図ることが可能である。
【０１０１】
さらに、前記の如く循環流路を流れるゴミ等に影響を受けずに循環流路内の流体（流体の流れ）の有無を判断して流体（流体の流れ）がないことが検出されたときには、その液無し検知信号により、液無し状態を液無し報知手段により報知するように構成しているので、使用者に液無しの状態を確実に知らせて使用者に適切な措置を促すことができるという効果が得られる。
【０１０２】
さらに、液無し（流体の流れがない状態）が検出された液無し検知信号が出力されたときに空焚き防止安全手段により他機能単独運転（例えば追い焚き単独運転）の停止を行う構成としたことによって、循環流路に流体がない状態で空焚きが行われるという危険を確実に防止することができるので、その空焚きに対する危険の防止を確実に図ることが可能となる。特に、本発明では、前記の如く、循環流路に流れるゴミ等のい影響を受けることなく循環流路内の流体の有無を検出して空焚き防止が行われるので、その空焚き防止の安全動作の信頼性を格段に高めることが可能となるものである。
【０１０３】
さらに、従来例の如く、例えば風呂の追い焚き循環流路に流水センサを設けて追い焚き循環流路内の水（流水）の有無を検出する構成の場合には、追い焚き循環流路に髪の毛等のゴミが流れてこれが流水センサに絡みつく等して流水センサが故障した場合には、流水が生じているにも拘わらず流水検出信号が出力されないことにより、器具が空焚き状態と判断して燃焼を停止させてしまったり、あるいは、追い焚き循環流路に水（流水）がないにも拘わらず前記流水センサの故障により流水検出信号が出力されて空焚きが行われるという問題が発生するおそれがあるが、本発明では、前記の如く、追い焚き循環流路を流れる髪の毛等のゴミの影響を受けて水（流水）を検出するセンサが故障をおこすということがないので、これら追い焚き循環流路に流水センサを設けるという不具合を一気に解消できるという優れた効果を奏するものである。
【図面の簡単な説明】
【図１】バーナの間欠燃焼動作状態の時間の情報に基づき追い焚き循環流路内の水（流水）の有無を検出する本実施形態例のブロック構成図である。
【図２】追い焚き単独運転中における給湯熱交湯温の情報に基づき追い焚き循環流路内の水（流水）の有無を検出する本実施形態例の構成を示すブロック図である。
【図３】バーナの間欠燃焼動作状態と給湯熱交湯温の関係を示す説明図である。
【図４】上側ピーク温度Ｐuから両隣の下側ピーク温度ＰL1，ＰL2を結ぶ線に垂線を降ろして得られる線の長さａ，ｂ，ｃ，（ａ＋ｂ）の任意の２つの組み合わせの比によって追い焚き循環流路内の水（流水）の有無を検出する実施形態例の説明図である。
【図５】給湯熱交湯温の上側ピーク温度Ｐu1，Ｐu2と下側ピーク温度ＰL1，ＰL2とＰL1，Ｐu2の垂線の交点Ｑ1，Ｑ2の各点のうちの予め定められた３点以上を結んで得られる図形の面積に基づき追い焚き循環流路内の水（流水）の有無を検出する実施形態例の説明図である。
【図６】追い焚き循環流路内に水（流水）がない状態のときのバーナの間欠燃焼運転による給湯熱交湯温の経時変化パターンを示す説明図である。
【図７】本発明が適用される給湯機能と暖房機能を備えた一缶二水路式給湯装置のシステム構成例を示す図である。
【図８】給湯熱交湯温センサを用いてバーナの間欠燃焼動作を行う制御構成のブロック図である。
【図９】予め与えられるオフ温度とオン温度に基づき追い焚き単独運転中のバーナのオン・オフ間欠燃焼動作例を示す説明図である。
【図１０】出願人が先に試作したバーナ間欠燃焼タイプの一缶二水路式給湯装置のシステム図である。
【符号の説明】
２  給湯熱交換器
３  追い焚き熱交換器
２３  追い焚き循環流路
３１  給湯熱交湯温センサ
３２  バーナオン・オフ燃焼制御部
３３  時間計測手段
３４  循環路水無し検出部
３６  水無し報知手段
３７  空焚き防止安全手段
３８  経時温度データ採取記憶部
４０  比較部
４１  水無し検知信号出力部
【図１】
0003810197.tif 000002
【図２】
0003810197.tif 000003
【図３】
0003810197.tif 000004
【図４】
0003810197.tif 000005
【図５】
0003810197.tif 000006
【図６】
0003810197.tif 000007
【図７】
0003810197.tif 000008
【図８】
0003810197.tif 000009
【図９】
0003810197.tif 000010
【図１０】
0003810197.tif 000011